(57)【要約】【課題】  ノンインパクトプリンタで印字でき、表面に記入した事項を各複写帳票片に複写可能に構成され、プリンタのカセット等に積み上げる場合でも段差による傾きが生じないようにした複写帳票を提供する。【解決手段】  同一形状を有し、表面に記入事項表示部が設けられた複数枚の複写帳票片が重ね合わされ、前記複数枚の複写帳票片が発色剤と顕色剤との反応により発色するノーカーボン複写方式により複写記入可能に構成され、一端側で綴じ合わされてなる複写帳票であって、前記複数枚の複写帳票片のうち最上位の複写帳票片の表面には、前記複写帳票を構成する複写帳票片の枚数と同じ数のノンインパクトプリンタ用印字部が設けられ、前記最上位の複写帳票片には、各ノンインパクトプリンタ用印字部を含む領域を切り取るための切り取りミシンが形成され、前記切り取りミシンで切り取られる複写帳票片の紙片が、下位に重ねられた複写帳票片と接着されている。【選択図】        図１
2009051071.tif 000002
【特許請求の範囲】
【請求項１】
同一形状を有し、表面に記入事項表示部が設けられた複数枚の複写帳票片が重ね合わされ、前記複数枚の複写帳票片が発色剤と顕色剤との反応により発色するノーカーボン複写方式により複写記入可能に構成され、一端側で綴じ合わされてなる複写帳票であって、
前記複数枚の複写帳票片のうち、最上位の複写帳票片の表面には、前記複写帳票を構成する複写帳票片の枚数と同じ数のノンインパクトプリンタ用印字部が設けられ、
前記最上位の複写帳票片には、各ノンインパクトプリンタ用印字部を含む領域を切り取るための切り取りミシンが形成され、
前記切り取りミシンで切り取られる複写帳票片の紙片が、下位に重ねられた複写帳票片と接着されていることを特徴とする複写帳票。
【請求項２】
前記複数枚の複写帳票片が、最上位のノーカーボントップ紙と、中位のノーカーボンミドル紙と、最下位のノーカーボンボトム紙とからなる３枚の複写帳票片であることを特徴とする請求項１記載の複写帳票。
【請求項３】
前記複数枚の複写帳票片が綴じ合わされている上端側が、ノンインパクトプリンタに対する給紙方向の先端側に設けられていることを特徴とする請求項１記載の複写帳票。
【発明の詳細な説明】
【技術分野】
【０００１】
本発明は、表面に記入事項を表示する記入事項表示欄と、ノンインパクトプリンタで印字するプリンタ印字欄とを有する複数枚の複写帳票片が重ね合わされ、上端側で綴じ合わされた構成を有する複写帳票に関する。
【背景技術】
【０００２】
従来、修理伝票や作業伝票といった書類や申込み書類等で用いられている複写伝票は、ノーカーボン用紙といわれる感圧発色する複写用の用紙を使用し、処理されている。（例えば、特許文献１参照）
この帳票には、共通の情報を、ドットインパクトプリンタを用い、加圧複写させることで、各枚目に予め印字させ、その後、ユーザーに必要事項を記入してもらうなどし、各帳票ごとに切り離し、お客様控え片、部品貼付片、業者控え片といった用途に分けられ、それぞれ使用されている。
【０００３】
しかし、ドットインパクトプリンタは、印字速度が遅く、大量処理などに不向きである。
また、近年のカット紙用のレーザープリンタやインクジェットプリンタ等を含めたノンインパクトプリンタの高速化と低価格化に伴い、他の一般の書類や帳票の印字には、既にこれらのノンインパクトプリンタが十分に普及してきているという状況にある。
このため、複写帳票においても、ノンインパクトプリンタを使用して共通事項の印字を行うと共に、記入事項については複写することで、様々なニーズに対応した複写帳票が求められている。
【０００４】
通常、複写帳票を複写させるためには、加圧印字することが必須であり、加圧方式でないノンインパクトプリンタでの複写は原理的に困難なため、現在用いられている方法の一例としては、予め複写帳票の各枚目ごとに別々に印字しておき、印字後に、各枚目の情報が合っているかの確認をし、丁合いを行うといった形で使用されている。
しかしながら、これらの方法では、手作業である場合が多く、マッチングミスが発生しやすく手間も掛かり、また、各枚目を別々に印字するために、印字にかかる時間が増えるといった問題がある。
【０００５】
また、その他の方法として、一枚もしくは貼り合わせ用紙等を用いて、折り返した時に対向するように、顕色剤と発色剤を塗布した帳票を用い、共通情報を両面印字した後、折り返すことで複写可能とし、その後、ユーザーが記入して複写し、切り離すといった方法も取られている。（例えば、特許文献２参照）
しかしながら、この方法では、両面印字可能なプリンタが必要であり、まだまだ両面印字可能なプリンタは普及が不十分であることから一般的に使用しにくく、更に、現在普及されているプリンタはＡ３サイズの用紙までが一般的であることから、３つ折り以上のスペースになると、折り返し複写を行うためには、１片の帳票が小さくなるためスペースに制約が生じるという問題がある。
【０００６】
また、重ねられた複数枚の複写帳票片の長さ寸法が異なる複写帳票を、プリンタで印字処理する場合には、複写帳票をプリンタのカセット等に積み上げた場合に、複数枚の複写帳票片による段差の影響で傾きが生でやすく、高積みできないため、作業性や効率が低下するという問題がある。
【０００７】
【特許文献１】特開平１０−２４６７６号
【特許文献２】特開平１０−１５７３４０
【発明の開示】
【発明が解決しようとする課題】
【０００８】
そこで、本発明は、一端側で複数枚の複写帳票片が綴じ合わされてなる複写帳票であって、ノンインパクトプリンタで共通情報を各複写帳票片に印字することができると共に、表面に記入した事項を各複写帳票片に複写可能に構成することで、ノンインパクトプリンタで高速に印字処理を行え、更に、複写帳票をプリンタのカセット等に積み上げる場合でも、段差による傾きが生じないようにした複写帳票を提供する。
【課題を解決するための手段】
【０００９】
本発明の複写帳票は、同一形状を有し、表面に記入事項表示部が設けられた複数枚の複写帳票片が重ね合わされ、前記複数枚の複写帳票片が発色剤と顕色剤との反応により発色するノーカーボン複写方式により複写記入可能に構成され、一端側で綴じ合わされてなる複写帳票であって、前記複数枚の複写帳票片のうち、最上位の複写帳票片の表面には、前記複写帳票を構成する複写帳票片の枚数と同じ数のノンインパクトプリンタ用印字部が設けられ、前記最上位の複写帳票片には、各ノンインパクトプリンタ用印字部を含む領域を切り取るための切り取りミシンが形成され、前記切り取りミシンで切り取られる複写帳票片の紙片が、下位に重ねられた複写帳票片と接着されていることを特徴とする。
【００１０】
また、本発明の複写帳票は、前記複数枚の複写帳票片が、最上位のノーカーボントップ紙と、中位のノーカーボンミドル紙と、最下位のノーカーボンボトム紙とからなる３枚の複写帳票片であることを特徴とする。
【００１１】
更に、本発明の複写帳票は、前記複数枚の複写帳票片が綴じ合わされている上端側が、ノンインパクトプリンタに対する給紙方向の先端側に設けられていることを特徴とする。
【発明の効果】
【００１２】
本発明の複写帳票は、最上位の複写帳票片の表面には、複写帳票を構成する複写帳票片の枚数と同じ数のノンインパクトプリンタ用印字部が設けられ、最上位の複写帳票片には、各ノンインパクトプリンタ用印字部を含む領域を切り取るための切り取りミシンが形成され、切り取りミシンで切り取られる複写帳票片の紙片が、下位に重ねられた複写帳票片と接着されているので、ノンインパクトプリンタで共通情報を印字することができると共に、表面に記入した事項を各複写帳票片に複写可能に構成することで、ノンインパクトプリンタで高速に印字処理を行え、更に、複写帳票をプリンタのカセット等に積み上げる場合でも、段差による傾きが生じないという効果がある。
【発明を実施するための最良の形態】
【００１３】
以下、本発明の実施形態に係る複写帳票を、図面に基づいて説明する。
図１には、本発明の実施形態に係る複写帳票の平面図が示され、図２には、図１のＡ−Ａ線断面図が示されている。
【００１４】
図１及び図２に示すように、本発明の実施形態に係る複写帳票１は、３枚の複写帳票片２ａ，２ｂ，２ｃが重ね合わされ、それらの一端側で接着剤３により接着されて綴じ合わされている。
この複写帳票１は、ノンインパクトプリンタを用いて印字処理を行うが、接着剤３により綴じ合わされている一端側が、ノンインパクトプリンタに対して給紙する際の先頭側となる部分に設けられる。
図１に示す場合においては、ノンインパクトプリンタへの給紙方向４を上方向と設定した場合が示されているので、複写帳票１の上方向の一端側で綴じ合わされている。
【００１５】
３枚の複写帳票片２ａ，２ｂ，２ｃの表面には、それぞれ表面に記入事項を表示する記入事項表示部５が設けられている。
図１には示されていないが、記入事項表示部５は、３枚の複写帳票片２ａ，２ｂ，２ｃの表面において、同位置に設けられている。
また、３枚の複写帳票片２ａ，２ｂ，２ｃは、発色剤と顕色剤との反応により発色するノーカーボン複写方式により複写記入可能に構成されており、最上位にある複写帳票片２ａの記入事項表示部５に記入された内容が、下位にある複写帳票片２ｂ，２ｃの記入事項表示部５に対して複写可能に構成されている。
【００１６】
つまり、図２に示すように、複写帳票片２ａの裏面には、発色剤層７が設けられ、また、複写帳票片２ｂの表面には、顕色剤層８が設けられ、複写帳票片２ｂの裏面には、発色剤層７が設けられ、更に、複写帳票片２ｃの表面には、顕色剤層８が設けられており、最上位にある複写帳票片２ａの記入事項表示部５に記入された内容が、下位にある複写帳票片２ｂ，２ｃの記入事項表示部５に対して複写可能に構成されている。
このように、複写帳票１は、複数枚の複写帳票片２ａ，２ｂ，２ｃが、最上位のノーカーボントップ紙と、中位のノーカーボンミドル紙と、最下位のノーカーボンボトム紙とからなる３枚の複写帳票片により構成されている。
複数枚の複写帳票片２ａ，２ｂ，２ｃは、同一形状を有し、同一寸法で形成されている。
【００１７】
そして、複数枚の複写帳票片２ａ，２ｂ，２ｃのうち、最上位の複写帳票片２ａの表面には、複写帳票１を構成する複写帳票片の枚数と同じ数のノンインパクトプリンタ用印字部９が設けられている。
つまり、複写帳票１を構成する複写帳票片２ａ，２ｂ，２ｃは、３枚であるので、複写帳票片２ａの表面には、３つのノンインパクトプリンタ用印字部９が設けられている。
更に、最上位の複写帳票片２ａには、各ノンインパクトプリンタ用印字部を含む領域を切り取るための切り取りミシン１０，１１が形成されている。
また、複写帳票片２ｂにも、切り取りミシン１１と重なる位置に、切り取りミシン１２形成されている。
【００１８】
そして、最上位の複写帳票片２ａの切り取りミシン１０，１１で切り取られる複写帳票片２ａの紙片１３，１４は、下位に重ねられた複写帳票片２ｂと接着剤１５で接着されている。
更に、複写帳票片２ｂの切り取りミシン１２で切り取られる紙片１６は、下位に重ねられた複写帳票片２ｃと接着剤１７で接着されている。
【００１９】
次に、本発明の実施形態に係る複写帳票１をノンインパクトプリンタで印字処理して使用する場合について説明する。
まず、複写帳票１をノンインパクトプリンタにより印字処理して、ノンインパクトプリンタ用印字部９に共通情報の印字を行う。
次に、複写帳票１の使用者が、最上位の複写帳票片２ａの記入事項表示部５に必要事項の記入を行なうことで、ノーカーボン複写方式により記入事項が下位の複写帳票片２ｂ，２ｃの記入事項表示部に複写記入される。
【００２０】
その後、最上位の複写帳票片２ａの切り取りミシン１０，１１と、複写帳票片２ｂの切り取りミシン１２とから、それぞれ切り取る。
この切り取りにより、複写帳票片２ａの紙片１３は、複写帳票片２ｂに接着された状態で形成され、更に、複写帳票片２ａの紙片１４と、複写帳票片２ｂの紙片１６とは、複写帳票片２ｃに接着された状態で形成される。
【００２１】
これにより、複写帳票片２ａには、記入事項表示部５に記入された必要事項と、ノンインパクトプリンタ用印字部９に印字された共通情報が表示され、また、複写帳票片２ｂには、記入事項表示部５に記入された必要事項がノーカーボン複写方式により複写されると共に、複写帳票片２ｂ上に接着された紙片１３のノンインパクトプリンタ用印字部９に印字された共通情報が表示され、更に、複写帳票片２ｃには、記入事項表示部５に記入された必要事項がノーカーボン複写方式により複写されると共に、複写帳票片２ｃ上に接着された紙片１６と紙片１４から、紙片１４のノンインパクトプリンタ用印字部９に印字された共通情報が表示された状態となる。
【００２２】
これにより、複写帳票１を構成する複数枚の複写帳票片２ａ，２ｂ，２ｃのそれぞれに、記入事項表示部５に記入された必要事項と、ノンインパクトプリンタで印字された共通情報とが表示されて、同一の情報を利用できるようになっている。
【００２３】
また、本発明の複写帳票は、ノンインパクトプリンタへの給紙方向を横方向と設定した場合には、ノンインパクトプリンタへの給紙する際の先頭となる部分であって、複写帳票１の横方向の一端側で綴じ合わされた構成とする。
また、本発明の複写帳票は、上記の実施形態で示した３枚の複写帳票片２ａ，２ｂ，２ｃに限定されるものではなく、２枚の複写帳票片、又は４枚以上の複写帳票片を重ね合わせた構成であってもよい。
【図面の簡単な説明】
【００２４】
【図１】本発明の実施形態に係る複写帳票の平面図である。
【図２】図１のＡ−Ａ線断面図である。
【符号の説明】
【００２５】
１  複写帳票
２ａ，２ｂ，２ｃ  複写帳票片
３  接着剤
４  ノンインパクトプリンタへの給紙方向
５  記入事項表示部
７  発色剤層
８  顕色剤層
９  ノンインパクトプリンタ用印字部
１０，１１，１２  切り取りミシン
１３，１４，１６  紙片
１５，１７  接着剤
【図１】
2009051071.tif 000003
【図２】
2009051071.tif 000004